(57)【要約】【課題】電気回路遮断装置の小型化を実現する。【解決手段】ハウジングに設けられた点火器と、移動通路に配置された発射体であって、点火器の作動により移動可能に形成された発射体と、所定の電気回路の一部を形成する導体片であって、該導体片の両方の端部は該所定の電気回路の他部にそれぞれ接続され、且つ該両方の端部の間の、該導体片の第１部分は、移動経路を横切るように配置された導体片と、を備える電気回路遮断装置において、両方の端部の間に位置する第１部位と、該両方の端部の間であって該第１部位とは異なる第２部位とに接続されて、両部位間の導体片を流れる電流を検出するように構成されたセンサであって、且つ導体片に一体となってセンサを配置し、その検出電流に基づいて、点火器の作動を制御する。【選択図】図１Ａ
2020136055.tif 000002
【特許請求の範囲】
【請求項１】
ハウジングに設けられた点火器と、
前記ハウジング内に形成された移動通路に配置された発射体であって、前記点火器から受けるエネルギーにより該移動通路内を移動可能に形成された発射体と、
所定の電気回路の一部を形成する導体片であって、該導体片の両方の端部は該所定の電気回路の他部にそれぞれ接続され、且つ該両方の端部の間の、該導体片の第１部分は、前記移動経路を横切るように配置された導体片と、
前記点火器の作動前において前記導体片を挟んで前記発射体とは反対側に形成され、該移動経路に繋がっている絶縁空間と、
前記両方の端部の間に位置する第１部位と、該両方の端部の間であって該第１部位とは異なる第２部位とに接続されて、両部位間の前記導体片を流れる電流を検出するように構成されたセンサであって、且つ前記導体片に一体となって配置されたセンサと、
前記センサによる検出電流に基づいて、前記点火器の作動を制御する制御部と、
を備える、電気回路遮断装置。
【請求項２】
前記導体片において、前記第１部位と前記第２部位との間の部分を少なくとも含む第２部分は、銅以外の所定の金属で形成され、又は、銅と該所定の金属との合金で形成され、
前記導体片における前記第２部分以外の部分は、銅で形成される、
請求項１に記載の電気回路遮断装置。
【請求項３】
前記第１部分は、前記両方の端部の間であって前記第１部位と前記第２部位との間に含まれる、
請求項１又は請求項２に記載の電気回路遮断装置。
【発明の詳細な説明】
【技術分野】
【０００１】
本発明は、自動車や家庭電化製品等の所定の電気回路に使用することができる電気回路遮断装置に関する。
【背景技術】
【０００２】
電気回路には、その電気回路を構成する機器の異常時や、該電気回路が搭載されたシステムの異常時に作動することによって該電気回路での導通を遮断する遮断装置が設けられる場合がある。その一態様として、点火器等から付与されるエネルギーによって発射体を高速で移動させて、電気回路の一部を形成する導体片を強制的に且つ物理的に切断する電気的導通の遮断装置が提案されている。
【０００３】
例えば、特許文献１に示す電気回路遮断装置では、合成樹脂からなるハウジング内に点火器、合成樹脂からなる発射体、電気回路の一部を形成するための導体片が配置され、更に発射体とハウジングの内壁面の間に金属製のシリンダーが配置されることでハウジングが補強されている。このように金属製のシリンダーを使用してハウジングを補強したり点火器による燃焼生成物の熱からハウジングを保護したりすることで、ハウジングの肉厚を小さくすることができ、以て、電気回路遮断装置の小型化が図られている。
【先行技術文献】
【特許文献】
【０００４】
【特許文献１】特許第６４１４８１６号公報
【発明の概要】
【発明が解決しようとする課題】
【０００５】
電気回路遮断装置は、電気回路に過大な電流が流れたときに電気回路における種々の安全性を考慮して、当該電気回路での導通を不全とすべくその一部を物理的に切断する装置であり、電気回路の安全性を保つためには重要な部品である。一方で、従来の電気回路遮断装置では、過大な電流を検出するセンサを電気回路遮断装置とは分離して設置している。そのため、電気回路遮断装置そのものの小型化が阻まれ、電気回路の安全設計上の問題となり得る。
【０００６】
また、上記のように電気回路遮断装置とセンサを分離して配置することで検出対象となる電流を引き回す距離が長くなり、ノイズの影響を受けやすくなり、電気回路遮断装置の正常な作動の点から必ずしも好ましい状況とは言えない。
【０００７】
そこで、本願の開示は、上記した問題に鑑み、電気回路遮断装置の小型化を可能とする技術を提供することを目的とする。
【課題を解決するための手段】
【０００８】
上記課題を解決するために、本願の開示では、電気回路遮断装置において、所定の電気回路の一部を形成する導体片に対して、電流検出のためのセンサを一体として配置する構成を採用した。このような構成により、電気回路遮断装置の小型化を実現することができる。
【０００９】
具体的には、本願開示の電気回路遮断装置は、ハウジングに設けられた点火器と、前記ハウジング内に形成された移動通路に配置された発射体であって、前記点火器から受けるエネルギーにより該移動通路内を移動可能に形成された発射体と、所定の電気回路の一部
を形成する導体片であって、該導体片の両方の端部は該所定の電気回路の他部にそれぞれ接続され、且つ該両方の端部の間の、該導体片の第１部分は、前記移動経路を横切るように配置された導体片と、前記点火器の作動前において前記導体片を挟んで前記発射体とは反対側に形成され、該移動経路に繋がっている絶縁空間と、前記両方の端部の間に位置する第１部位と、該両方の端部の間であって該第１部位とは異なる第２部位とに接続されて、両部位間の前記導体片を流れる電流を検出するように構成されたセンサであって、且つ前記導体片に一体となって配置されたセンサと、前記センサによる検出電流に基づいて、前記点火器の作動を制御する制御部と、を備える。
【００１０】
上記電気回路遮断装置は、所定の電気回路で過大電流などの異常が生じた場合に、センサで当該過大電流を検出して所定の電気回路の一部を形成する導体片を切断することで、安全を確保するものである。ここでいう所定の電気回路は、電気回路遮断装置によりその安全性の確保が求められる電気回路であって、特定の電気回路に限られるものではない。その一例としては、自動車のバッテリー（リチウムイオンバッテリー等）に接続された回路、家庭電化製品等の様々な電気回路が挙げられる。また、過大電流とは、それぞれの電気回路に応じて安全面から設定され得る電流であり、絶対的な基準が存在するわけではない。
【００１１】
そして、この電気回路の一部を形成する導体片が、電気回路遮断装置の一部として組み込まれる。導体片は、発射体が移動する移動経路を横切るように配置された第１部分を有する。したがって、点火器が作動してその燃焼エネルギーが発射体に付与されると、発射体が移動経路内を移動することになる。このとき第１部分が移動経路を横切って配置されているため、移動している発射体によって第１部分が導体片の本体から切断される。これにより導体片を含む所定の電気回路での導通が不全とされ、過大電流による危険性を抑制することができる。なお、導体片の本体から切断された第１部分は、発射体とともに絶縁空間に移動し、電気的に安全な状態で電気回路から隔離され得る。
【００１２】
ここで、上記電気回路遮断装置では、所定の電気回路における異常な電流、すなわち導体片を流れる過大電流はセンサによって検出される。当該センサは、導体片に対して第１部位と第２部位の２つの部位を介して電気的に接続されている。これにより第１部位と第２部位との間を流れる電流に相関する電流をセンサ側に引き込むことができ、その電流の大きさ（電流値）を検出できる。更に、当該センサは、導体片に対して一体となって配置されている。このような構成により、電気回路遮断装置自体の小型化を図ることができる。これにより、上記の電気回路遮断装置を適用できる所定の電気回路の態様の幅を広げることができ、その有用性は従来技術では見出せないほどに向上したものとなる。また、上記の構成により検出電流を引き回す距離を短くできるため、過大電流の検出に当たってノイズ等の影響を受けにくくなり、電気回路遮断装置の正常な動作に資するものである。
【００１３】
ここで、上記の電気回路遮断装置において、前記導体片において、前記第１部位と前記第２部位との間の部分を少なくとも含む第２部分は、銅以外の所定の金属で形成され、又は、銅と該所定の金属との合金で形成され、また、前記導体片における前記第２部分以外の部分は、銅で形成されてもよい。一般的に、銅は電気抵抗が比較的低く導電部材としては広く採用される金属であるが、一方で、通電されて昇温したときに部材の電気抵抗の変動が大きくなり得る。このような銅の特性は、センサによる電流検出の精度に好ましくない影響を及ぼし得る。そこで、上記のように、導体片における第２部分については銅のみで形成されないようにすることで、センサの電流検出精度への影響を抑制することができる。なお、導体片のうちセンサの電流検出に関連しない第２部分以外の部分については銅で形成することで、導体片としての電気抵抗を下げ効果的な通電を可能とする。
【００１４】
また、上記の電気回路装置において、前記第１部分は、前記両方の端部の間であって前
記第１部位と前記第２部位との間に含まれてもよい。すなわち、センサによる検出領域と発射体による切断領域を重ねることで、電気回路遮断装置としてより小型化を図ることができる。また、第１部位と第２部位との間は第２部分に含まれる領域であり、特に第２部分が上記のように銅以外の材料が含まれて形成されている場合、その第２部分に含まれる第１部分の物性によって、発射体によって切断される第１部分が、不用意に伸びたりせずに好適に切断される。特に、過大電流の検出がされるときに第１部分が不用意に伸びてしまうとアークが生じしてしまうことから、上記のような第１部分の切断が行われることにより、電流遮断に関連する消弧性能を高めることができる。
【発明の効果】
【００１５】
本願の開示によれば、好適に電気回路遮断装置の小型化を図ることが可能となる。
【図面の簡単な説明】
【００１６】
【図１Ａ】実施形態の電流回路遮断装置の概略構成を示す図である。
【図１Ｂ】実施形態の電流回路遮断装置の断面を示す図である。
【図２】実施形態の電気回路遮断装置に含まれる発射体の構成を示す図である。
【図３】実施形態の電気回路遮断装置に含まれるシリンダーの構成を示す図である。
【図４】実施形態の電気回路遮断装置に含まれる導体片の構成を示す図である。
【図５】実施形態における変形例の電気回路遮断装置に含まれる導体片とセンサとの相関を示す図である。
【発明を実施するための形態】
【００１７】
以下に、図面を参照して本発明の実施形態に係る電流回路遮断装置について説明する。なお、以下の実施形態の構成は例示であり、本発明はこれらの実施の形態の構成に限定されるものではない。
【実施例１】
【００１８】
図１Ａは、電気回路遮断装置（以下、単に「遮断装置」という）１の概略構成を示す図であり、図１Ｂは、遮断装置１の長手方向（後述する筒状空間１３が延在する方向）に沿った断面図である。また、図２、図３、図４のそれぞれは、遮断装置１に含まれる発射体４０、シリンダー３０、導体片５０の構成を示す図である。
【００１９】
合成樹脂からなるハウジング１０は、第１端部１１から第２端部１２の方向に延在する筒状空間１３を有している。この筒状空間１３は、後述する発射体４０が移動可能なように直線状に形成された空間である。そして、遮断装置１において第１端部１１側には、その使用時に電源と接続されるコネクタ１５が取り付けられている。
【００２０】
ハウジング１０の筒状空間１３内には、第１端部１１側から遮断装置１の長手方向に順に点火器２０、合成樹脂からなる発射体４０、導体片５０が配置されている。点火器２０は、点火部２１と点火器本体の一部が樹脂で包囲された樹脂部２２とを有しており、樹脂部２２から点火部２１が、筒状空間１３へと露出して配置されている。したがって、点火器２０が作動して生じる燃焼生成物は、筒状空間１３へと放出されることになる。
【００２１】
ここで、遮断装置１が作動する前においては、図１Ｂに示すように筒状空間１３内に発射体４０が配置されている。このとき、図１Ｂでの下方を発射体４０の先端側、図１Ｂでの上方を発射体４０の基端側と定義する。この作動前の状態で、発射体４０の基端側の端面は、点火器２０の点火部２１に対向するように配置されている。
【００２２】
発射体４０は、棒状のロッド部４１と、ロッド部４１の先端側に形成された先端拡径部４２とを有している。先端拡径部４２の外径は、ロッド部４１の外径よりも大きくなって
いるため、ロッド部４１と先端拡径部４２の境界部には環状の段差面４５（図２を参照）が形成されている。ロッド部４１の幅方向の断面形状は円形であり、先端拡径部４２の幅方向の断面形状は四角形（好ましくは正方形）または円形である。ただし、ロッド部４１と先端拡径部４２の断面形状は、これらの形状に限られない。そして、ロッド部４１は、一部の外径が小さくなったくびれ部４３を有しており、くびれ部４３には、ゴム（例えばシリコーンゴム）や合成樹脂からなるＯリング４４が嵌め込まれている。筒状空間１３に配置されない状態で、くびれ部４３にＯリング４４が嵌め込まれた場合、そのＯリング４４の部分の外径はロッド部４１の外径よりわずかに大きくなっている。そのため、Ｏリング４４が嵌め込まれた発射体４０が筒状空間１３内に配置されると、Ｏリング４４によって好適なシール性が形成され、効果的な発射体４０の推進が実現される。
【００２３】
次に、遮断装置１において、ハウジング１０にシリンダー３０が設けられ、このシリンダー３０によって上述の筒状空間１３が形成される。具体的には、ハウジング１０には、その内部に内部空間が形成されており、そこにシリンダー３０が圧入されてハウジング１０に対して軸方向に移動しないように固定されている。なお、シリンダー３０の外表面３０ａに爪部を形成し、半径方向に対向するハウジング１０の内部空間の内壁面１０ａに前記爪部に対応する凹部を形成しておき、取り付け時には前記爪部を前記凹部に嵌め込むようにして、シリンダー３０が軸方向に移動しないように固定することもできる。
【００２４】
シリンダー３０は、ハウジング１０を補強するためのものであり、ステンレスや鉄などの金属からなるものである。シリンダー３０の厚みは、遮断装置１の大きさにより異なるが、例えば約０．５〜３ｍｍの範囲が好ましい。このとき、下記の効果が期待できる。
（第１の作用効果）
金属からなるシリンダー３０を使用してハウジング１０を補強することで、ハウジング１０の肉厚を小さくすることができるため、遮断装置１を小型化することができる。
（第２の作用効果）
点火器２０が作動して生じた燃焼生成物は、シリンダー３０内を通って発射体４０と衝突とするため、ハウジング１０の内壁面１０ａが燃焼生成物の熱や圧力に直接曝されることがなくなる。このため、ハウジングの肉厚を小さくすることができ、第１の作用効果と合わせて遮断装置１の小型化に寄与することができる。
（第３の作用効果）
シリンダー３０は、点火器２０の作動により発生した燃焼生成物の通路になるため、燃焼生成物の全てを発射体４０に衝突させることができるとともに、発射体４０が移動するときのガイド部としても機能する。
【００２５】
また、シリンダー３０は、第１端開口部３１側が点火器２０の樹脂部２２に当接し、反対側の第２端開口部３２側が、遮断装置１の作動前において発射体４０の環状段差面４５に当接している。シリンダー３０は、点火器２０の点火部２１と発射体４０のロッド部４１を包囲して配置されている。このとき、発射体４０のくびれ部４３に嵌め込まれたＯリング４４はシリンダー３０の内周面３０ｂに接触しているが、ロッド部４１の外表面とシリンダー３０の内周面３０ｂは完全には接触していない。すなわち、発射体４０は、その一部であるロッド部４１がシリンダー３０内に形成される筒状空間１３を移動可能となるように、シリンダー３０及び発射体４０の寸法、形状が決定されている。
【００２６】
次に、導体片５０について説明する。導体片５０は、遮断装置１を電気回路に取り付けたとき、所定の電気回路の一部を形成させるためのものである。導体片５０は、両端側の第１端部５１、第２端部５２と、両端部の間にある中間部分５３からなる板片である。２つの第１端部５１の穴５１ａと第２端部５２の穴５２ａは、所定の電気回路において他の導体（例えば、リードワイヤ）と接続するためのものである。図１Ｂ及び図４に示す導体片５０は、中間部分５３の面（板片における平面部分）と第１端部５１、第２端部５２の
面（板片における平面部分）は互いに直交するように形成されているが、中間部分５３の面と第１端部５１、第２端部５２の面が同一面を形成しているものでもよい。また導体片５０は、ハウジング１０の取り付け部の形状および構造に応じて、第１端部５１の中間部分５３よりの部分と第２端部５２の中間部分５３よりの部分が、それぞれ厚さ方向に変形されたものでもよい。
【００２７】
導体片５０は、中間部分５３の面が筒状空間１３の延在方向に直交して配置されている。この結果、筒状空間１３を移動する発射体４０の推進方向と、中間部分５３の面とは直交する相対位置関係となる。また、導体片５０の中間部分５３の面は、発射体４０の先端拡径部４２の先端面４２ａと対向している。そのため、導体片５０の中間部分５３は、ハウジング１０内において発射体４０が移動する空間を横切って配置された状態となっている。なお、図１Ｂでは、中間部分５３の面と発射体４０の先端面４２ａが当接しているが、間隔をおいて両者が対向するように配置されていてもよい。
【００２８】
また、発射体４０の先端拡径部４２の幅方向の断面形状が正方形であるとき、１辺の長さ（Ｌ）と導体片５０の中間部分５３の幅（Ｗ）は、Ｌ≧Ｗの関係を満たしていることが好ましく、Ｌ／Ｗ＝１．０〜１．２の範囲がより好ましい。このような構成により、発射体４０による中間部分５３の切断を好適に行い得る。
【００２９】
また、導体片５０とハウジング１０の第２端部１２の間には、一面が開口した箱形状のストッパ６０が、その開口部側が導体片５０側を向くように配置されている。ストッパ６０は好適な絶縁材料である合成樹脂からなるものであり、そのためその内部には、導体片５０に対して一定の絶縁性が確保された絶縁空間６１が形成されている。遮断装置１の作動時において、発射体４０の先端拡径部４２が長手方向に移動して、導体片５０の中間部分５３を切断した後、先端拡径部４２と中間部分５３の切断片が絶縁空間６１内に入り込むことで、中間部分５３の切断による所定の電気回路の導通不全が安全に実現される。
【００３０】
更に、本実施形態の遮断装置１には、図１Ａに示すように導体片５０を流れる電流を検出するセンサ７３が導体片５０に一体となるように組み込まれている。具体的には、センサ７３と、点火器２０の作動を制御する制御部７５と、コンデンサ７７とを有する制御装置７０が、遮断装置１に組み込まれている。センサ７３は、導体片５０を流れる電流の他に、電圧や導体片５０の温度を検出することができてもよい。制御部７５は、所定の制御プログラムを実行することで所定の機能を発揮できるコンピュータである。また、制御部７５による所定の機能は、対応するハードウェアで実現することもできる。コンデンサ７７は、通常時（過大電流が流れていないとき）に導体片５０を流れる電流の一部を蓄電するように構成される。
【００３１】
図４に示すように、導体片５０の中間部分５３において発射体４０の先端拡径部４２によって切断される部分を第１部分５３ａとする。なお、図４に示す破線Ｌ１は、図１Ｂに示す状態において、先端拡径部４２の外郭に対応する位置を表している。そして、この第１部分５３ａの両方の外側に、導体片５０を流れる電流の一部をセンサ７３に引き込むための２つの端子７２が設けられている。２つの端子７２のうち一方の位置（例えば、図４に示す左側の端子７２の位置）を第１部位、他方の位置（例えば、図４に示す右側の端子７２の位置）を第２部位と定義する。したがって、第１部位と第２部位との間に、発射体４０によって切断される第１部分５３ａが含まれる位置関係が、形成されている。なお、制御装置７０は、この２つの端子７２を利用して導体片５０に対して取り付けられており、その取付位置が図１Ａにおいて「７１」で参照されている。
【００３２】
更に、第１部位と第２部位との間の部分を少なくとも含む、中間部分５３の一部が、第２部分５３ｂとして定義される。すなわち、第２部分５３ｂに、２つの端子７２と、発射
体４０によって切断される第１部分５３ａとが含まれる位置関係が、形成されている。そして、中間部分５３において、第２部分以外の部分は図４において「５３ｃ」で参照されている。
【００３３】
ここで、導体片５０においては、２つの端子７２が設けられている第１部位と第２部位との間の部分を少なくとも含む第２部分５３ｂは、銅（Ｃｕ）以外の所定の金属で形成され、又は、銅と該所定の金属との合金で形成される。一般に、銅は電気抵抗が比較的低いため発熱の少ない通電ができる一方で、発熱するとその電気抵抗の変動が大きい金属材料である。そのため、センサ７３の電流検出に関連する２つの端子７２の間の部分を含む第２部分５３ｂを、上記のように銅を含まない、又は銅以外の所定の金属を含むように形成することで、センサ７３の電流検出精度が低下することを回避できる。所定の金属としては、マンガン（Ｍｎ）、ニッケル（Ｎｉ）、白金（Ｐｔ）等が例示できる。更に、第２部分５３ｂは、発射体４０によって切断される第１部分５３ａも含む領域である。当該領域が上記のように銅を含まない、又は銅以外の所定の金属を含むように形成されることで、切断時に導体片５０が不用意に伸びることを抑制でき、以て切断時のアーク抑制が図られ、消弧性が向上される。
【００３４】
なお、導体片５０における第２部分５３ｂ以外の部分、すなわち中間部分５３の一部である部分５３ｃと第１端部５１及び第２端部５２は、銅で形成される。これにより、導体片５０として効率的な導通を担保することができる。
【００３５】
また、別法として、導体片５０の全体を銅のみで形成してもよい。この場合は、導体片５０全体の電気抵抗を好適に下げることができ、効率的な導通が実現される。
【００３６】
このように構成される遮断装置１によれば、ハウジング１０の内部に金属製のシリンダー３０が配置されてハウジング１０が補強されているため、ハウジング１０の肉厚を小さくすることができ、以て、遮断装置１の小型化を促進できる。例えば、遮断装置１は、シリンダー３０を使用しない場合と比べると、ハウジング１０の幅肉厚を約３０〜８０％小さくすることができる。
【００３７】
また、所定の電気回路を形成する導体片５０に過大な電流が流れると、その電流がセンサ７３によって検出される。検出された電流は、センサ７３から制御部７５に引き渡される。制御部７５は、その検出された電流値に基づいて点火器２０の作動を制御する。このとき、制御部７５は、コンデンサ７７に蓄電されているエネルギーを利用して点火器２０を作動させる。例えば、検出された電流値が、所定の電気回路の保護のために設定された所定の閾値を超える場合には、制御部７５はコンデンサ７７のエネルギーを利用して点火器２０を作動させる。このように遮断装置１は、過大電流が流れたときに、エネルギーを装置外部から供給されることなく点火器２０を作動させることが可能となるように構成された、いわば自己完結型の遮断装置である。この結果、点火器２０の点火部２１から燃焼生成物が発生し、その燃焼エネルギーが発射体４０に伝えられ、発射体４０は、筒状空間１３の延在方向に移動して、先端拡径部４２により導体片５０の中間部分５３に含まれる第１部分５３ａを切断する。その後、先端拡径部４２と第１部分５３ａの切断片が絶縁空間６１内に移動して電気絶縁的に保持される。この動作により導体片５０の両端にある第１端部５１と第２端部５２は電気的に不通状態となるため、遮断装置１を配置した所定の電気回路は遮断される。
【００３８】
そして、遮断装置１においては、センサ７３を含む制御装置７０が２つの端子７２を介して導体片５０に一体となって配置されている。このような構成を採用することで、センサ７３によって検出される電流が流れる導体片５０とセンサ７３との距離を可及的に短くすることができ、以て遮断装置１の小型化を図ることができる。遮断装置１が小型化され
ると、遮断装置１が適用できる態様の幅が広がるため、その有用性が高まり所定の電気回路の安全設計が容易に実現し得る。また、導体片５０とセンサ７３が一体化されることで、電流の引き回し距離が短くでき、ノイズの影響を受けにくくなる。
【００３９】
＜変形例＞
上記の実施形態に示す形態に代えて、センサ７３によって検出される電流が流れる導体片５０の部位（すなわち、第１部位と第２部位との間）と、切断される第１部分５３ａとが、互いに重ならないように、導体片５０に対するセンサ７３の相対位置と、筒状空間１３及びそこを推進する発射体４０の相対位置との関係を変更してもよい。例えば、本変形例の遮断装置１では、導体片５０を流れる電流を検出するセンサ７３が導体片５０に一体となるように組み込まれた上で、図５に示すように導体片５０の中間部分５３において、第１部分５３ａと第２部分５３ｂが重ならないように配置される。このとき、少なくとも第１部位と第２部位との間を含む第２部分５３ｂに相当する領域は、上記のように銅を含まない、又は銅以外の所定の金属を含むように形成されるのが好ましい。しかし、当該領域を含め導体片５０全体を、銅のみで形成しても構わない。
【符号の説明】
【００４０】
１      ：遮断装置
１０    ：ハウジング
１３    ：筒状空間
２０    ：点火器
３０    ：シリンダー
４０    ：発射体
５０    ：導体片
５３    ：中間部分
５３ａ  ：第１部分
５３ｂ  ：第２部分
６０    ：ストッパ
６１    ：絶縁空間
７０    ：制御装置
７２    ：端子
７３    ：センサ
７５    ：制御部
７７    ：コンデンサ
【図１Ａ】
2020136055.tif 000003
【図１Ｂ】
2020136055.tif 000004
【図２】
2020136055.tif 000005
【図３】
2020136055.tif 000006
【図４】
2020136055.tif 000007
【図５】
2020136055.tif 000008